(57)【要約】【課題】  色バランスに優れた半透過反射型液晶装置を提供する。【解決手段】  複数のドット部１００Ｄに対応して設けられる複数色の着色層２５Ｒ（赤）、２５Ｇ（緑）、２５Ｂ（青）と、着色層と平面的に重なる反射層と、を有する半透過反射型液晶装置であって、複数のドット部１００Ｄには、透明なバンク層２３と、該バンク層２３により区画された領域を埋めるように配置される着色層と、が設けられ、各ドット部１００Ｄにおける着色層の形成面積が各色毎に異なるように、各ドット部１００Ｄにおけるバンク層の形成面積を異ならせる。【選択図】  図２
2005107513.tif 000002
【特許請求の範囲】
【請求項１】
複数のドット部に対応して設けられる複数色の着色層と、
前記着色層と平面的に重なる反射層と、を有する電気光学装置であって、
前記複数のドット部には、透明層と、該透明層により区画された領域を埋めるように配置される前記着色層と、が設けられ、
前記各ドット部における前記着色層の形成面積が各色毎に異なるように、前記各ドット部における前記透明層の形成面積を異ならせることを特徴とする電気光学装置。
【請求項２】
前記着色層は液滴材料によって形成されることを特徴とする請求項１記載の電気光学装置。
【請求項３】
前記ドット部毎に透過部と前記反射層が形成された反射部とを有し、
前記透過部には前記着色層が、前記反射部には前記透明層及び前記着色層が対応して配置されることを特徴とする請求項１または請求項２記載の電気光学装置。
【請求項４】
前記着色層は赤色、緑色、青色に着色され、
前記各ドット部において、前記透明層の形成面積比が赤色：緑色：青色＝１.１〜１.３：１.３〜２.５：１であることを特徴とする請求項３記載の電気光学装置。
【請求項５】
複数のドット部に対応して設けられる複数色の着色層と、
前記着色層と平面的に重なる反射層と
前記ドット部毎に透過部と前記反射層が形成された反射部とを有する電気光学装置であって、
前記ドット部は、前記着色層が設けられた着色層領域と前記着色層が設けられていない無着色領域を有し、
前記ドット部において、前記透過部には前記着色層領域が、前記反射部には前記無着色領域及び前記着色層領域が対応して配置され、
前記各ドット部における前記無着色領域の面積がそれぞれ前記着色層の各色毎に異なることを特徴とする電気光学装置。
【請求項６】
前記透過部の面積がそれぞれ前記着色層の各色毎に異なることを特徴とする請求項５に記載の電気光学装置。
【請求項７】
前記着色層は赤色、緑色、青色に着色され、
前記透過部の形成平面面積比が、赤色：緑色：青色＝１〜１.２：１：１〜１.５であることを特徴とする請求項６記載の電気光学装置。
【請求項８】
複数のドット部に対応して設けられる複数色の着色層と、前記着色層と平面的に重なる反射層と、を有するカラーフィルタ基板であって、
前記複数のドット部には、透明層と、該透明層により区画された領域を埋めるように配置される前記着色層と、が設けられ、
前記各ドット部における前記着色層の形成面積が各色毎に異なるように、前記各ドット部における前記透明層の形成面積を異ならせることを特徴とするカラーフィルタ基板。
【請求項９】
前記着色層と平面的に重なる反射層を更に有することを特徴とする請求項８記載のカラーフィルタ基板。
【請求項１０】
複数のドット部に対応して設けられる複数色の着色層と、
前記着色層と平面的に重なる反射層と、
前記ドット部毎に透過部と前記反射層が形成された反射部と、
を有するカラーフィルタ基板であって、
前記ドット部は、前記着色層が設けられた着色層領域と、前記着色層が設けられていない無着色領域を有し、
前記ドット部において、前記透過部には前記着色層領域が、前記反射部には前記無着色領域及び前記着色層領域が対応して配置され、
前記各ドット部における前記無着色領域の面積がそれぞれ前記着色層の各色毎に異なることを特徴とするカラーフィルタ基板。
【請求項１１】
複数のドット部に対応して設けられる複数色の着色層を備えた電気光学装置の製造方法であって、
基板上に、前記ドット部の少なくとも一部を区画する透明層を、各色毎に前記複数のドットにおけるその面積が異なるように形成する工程と、
前記透明層により区画された各領域に前記着色層を形成する工程と
を有することを特徴とする電気光学装置の製造方法。
【請求項１２】
前記基板上に、各前記ドット部に対応して透過部と反射部とを有する反射層を形成する工程を更に有し、
前記透過部の平面面積が各色毎に異なるように前記反射層を形成することを特徴とする請求項１１記載の電気光学装置の製造方法。
【請求項１３】
請求項１乃至請求項７いずれか一項に記載の電気光学装置を備えることを特徴とする電子機器。
【発明の詳細な説明】
【技術分野】
【０００１】
本発明は、電気光学装置、カラーフィルタ基板、電気光学装置の製造方法及び電子機器に関する。
【背景技術】
【０００２】
反射型と透過型を兼ね備えた電気光学装置としての半透過反射型の液晶装置では、周囲の明るさに応じて反射表示または透過表示のいずれかの表示方式に切り替えることができる。この種の液晶装置には、画素毎に、外光を反射するための反射部と、反射膜の開口などにより形成された透過部とが構成された反射層が設けられる。そして、照明手段を点灯したときには照明光が反射層の透過部を通して透過表示が実現され、照明手段を消灯したときには外光が反射層の反射部によって反射されて反射表示が実現される。
【０００３】
上記の半透過反射型の液晶装置においてカラー表示を実現するためには、上記の反射層の観察側（外光入射側）にＲ，Ｇ，Ｂなどの着色層を配置したカラーフィルタ基板を使用する。着色層は例えばインクジェット方式を利用して形成される（例えば、特許文献１参照）。
【特許文献１】特開２００２−２２１３１９号公報（段落［００３１］〜［００５２］、図１）。
【発明の開示】
【発明が解決しようとする課題】
【０００４】
上述のような半透過反射型の液晶装置においては、透過表示において各画素の透過部を透過する照明光が着色層を１回だけ通過するのに対して、反射表示においては外光が各画素の反射部で反射されてなる反射光が往復で計２回着色層を通過することになる。従って、透過表示と反射表示の両方で共通の着色層を使用する場合、各表示における表示画像の彩度や明るさが不足するという問題がある。すなわち、反射表示で最適な彩度が得られるように色素濃度が低めの着色層を使用すると、透過表示型においては表示画像の彩度が不十分となってしまう。一方、透過表示で最適な彩度が得られるように色素濃度が高めの着色層を使用すると、反射表示では表示画像の明るさが不足しがちになる。
【０００５】
以上のような事情に鑑み、本発明の目的は、透過表示及び反射表示いずれにおいても色バランスに優れたカラー表示を実現した半透過反射型液晶装置を提供することを目的とする。
【課題を解決するための手段】
【０００６】
上記課題を解決するために本発明の電気光学装置は、複数のドット部に対応して設けられる複数色の着色層と、前記着色層と平面的に重なる反射層と、を有する電気光学装置であって、前記複数のドット部には、透明層と、該透明層により区画された領域を埋めるように配置される前記着色層と、が設けられ、前記各ドット部における前記着色層の形成面積が各色毎に異なるように、前記各ドット部における前記透明層の形成面積を異ならせることを特徴とする。
【０００７】
本発明のこのような構成によれば、透明層を設けることにより明るい反射表示を得ることができる。更に、透明層の形成面積を着色層の各色毎に異ならせることにより、反射表示における色バランスを任意に変化させることができる。従って、反射表示において各色それぞれに最適な明るさが得られるように調整ができ、ホワイトバランスに優れた表示特性を有する電気光学装置を得ることができる。
【０００８】
また、前記着色層は液滴材料によって形成されることを特徴とする。
【０００９】
このように着色層を液滴材料により形成するインクジェット法を用いて形成することができ、透明層を設けることにより隣り合う異なる色の着色層間の混色を防止する。
【００１０】
また、前記ドット部毎に透過部と前記反射層が形成された反射部とを有し、前記透過部には前記着色層が、前記反射部には前記透明層及び前記着色層が対応して配置されることを特徴とする。
【００１１】
このように半透過反射型電気光学装置に適用することができ、ホワイトバランスに優れた反射表示特性を有する電気光学装置を得ることができる。
【００１２】
また、前記着色層は赤色、緑色、青色に着色され、前記各ドット部において、前記透明層の形成面積比が赤色：緑色：青色＝１．１〜１．３：１．３〜２．５：１であることを特徴とする。
【００１３】
このように透明層の形成面積比を設定することにより、色度特性の良い反射表示特性を有する電気光学装置を得ることができる。
【００１４】
本発明の他の電気光学装置は、複数のドット部に対応して設けられる複数色の着色層と、前記着色層と平面的に重なる反射層と、前記ドット部毎に透過部と前記反射層が形成された反射部とを有する電気光学装置であって、前記ドット部は、前記着色層が設けられた着色層領域と前記着色層が設けられていない無着色領域を有し、前記ドット部において、前記透過部には前記着色層領域が、前記反射部には前記無着色領域及び前記着色層領域が対応して配置され、前記各ドット部における前記無着色領域の面積がそれぞれ前記着色層の各色毎に異なることを特徴とする。
【００１５】
本発明のこのような構成によれば、ドット部における無着色領域の面積がそれぞれ着色層の各色毎に異なることにより、反射表示における色バランスを任意に変化させることができる。従って、反射表示において各色それぞれに最適な明るさが得られるように調整ができ、ホワイトバランスに優れた表示特性を有する電気光学装置を得ることができる。
【００１６】
また、前記透過部の面積がそれぞれ前記着色層の各色毎に異なることを特徴とする。
【００１７】
このような構成によれば、透過部の面積を各色毎に異ならせることにより、透過表示において電気光学装置に備えられる光源からの光量を各色毎に調整でき、透過表示における色バランスを変化させることが可能となる。従って、反射表示と透過表示とで最適な色バランスが異なる場合に、反射表示と透過表示の色バランスをそれぞれ変化させて、両表示において最適な色バランスとなるように任意に設定することができ、所望の色表示特性の電気光学装置を得ることができる。
【００１８】
また、前記着色層は赤色、緑色、青色に着色され、前記透過部の面積比が、赤色：緑色：青色＝１〜１．２：１：１〜１．５であることを特徴とする。
【００１９】
このように、各色毎に透過部の面積比を設定することにより、色特性の良い透過表示特性を有する電気光学装置を得ることができる。
【００２０】
本発明のカラーフィルタ基板は、複数のドット部に対応して設けられる複数色の着色層と、前記着色層と平面的に重なる反射層と、を有するカラーフィルタ基板であって、前記複数のドット部には、透明層と、該透明層により区画された領域を埋めるように配置される前記着色層と、が設けられ、前記各ドット部における前記着色層の形成面積が各色毎に異なるように、前記各ドット部における前記透明層の形成面積を異ならせることを特徴とする。
【００２１】
本発明のこのような構成のカラーフィルタ基板を備えた電気光学装置では、透明層を設けることにより明るい反射表示を得ることができる。更に、透明層の形成面積を着色層の各色毎に異ならせることにより、反射表示における色バランスを任意に変化させることができる。従って、反射表示において各色それぞれに最適な明るさが得られるように調整ができ、ホワイトバランスに優れた表示特性を有する電気光学装置を得ることができる。
【００２２】
また、前記着色層と平面的に重なる反射層を更に有することを特徴とする。
【００２３】
このように半透過反射型電気光学装置に適用することができ、ホワイトバランスに優れた反射表示特性を有する電気光学装置を得ることができる。
【００２４】
本発明の他のカラーフィルタ基板は、複数のドット部に対応して設けられる複数色の着色層と、前記着色層と平面的に重なる反射層と、前記ドット部毎に透過部と前記反射層が形成された反射部と、を有するカラーフィルタ基板であって、前記ドット部は、前記着色層が設けられた着色層領域と、前記着色層が設けられていない無着色領域を有し、前記ドット部において、前記透過部には前記着色層領域が、前記反射部には前記無着色領域及び前記着色層領域が対応して配置され、前記各ドット部における前記無着色領域の面積がそれぞれ前記着色層の各色毎に異なることを特徴とする。
【００２５】
本発明のこのような構成のカラーフィルタ基板を備えた電気光学装置では、ドット部における無着色領域の面積がそれぞれ着色層の各色毎に異なることにより、反射表示における色バランスを任意に変化させることができる。従って、反射表示において各色それぞれに最適な明るさが得られるように調整ができ、ホワイトバランスに優れた表示特性を有する電気光学装置を得ることができる。本発明の電気光学装置の製造方法は、複数のドット部に対応して設けられる複数色の着色層を備えた電気光学装置の製造方法であって、基板上に、前記ドット部の少なくとも一部を区画する透明層を、各色毎に前記複数のドットにおけるその面積が異なるように形成する工程と、前記透明層により区画された各領域に前記着色層を形成する工程とを有することを特徴とする。
【００２６】
本発明のこのような製造方法により製造された電気光学装置では、透明層を設けることにより明るい反射表示を得ることができる。更に、透明層の形成面積を着色層の色毎に異ならせることにより、反射表示における色バランスを任意に変化させることができる。従って、反射表示において各色それぞれに最適な明るさが得られるように調整ができ、ホワイトバランスに優れた表示特性を有する電気光学装置を得ることができる。また、透明層を設けることにより、インクジェット法による着色層形成を行うことができる。
【００２７】
また、前記基板上に、各前記ドット部に対応して透過部と反射部とを有する反射層を形成する工程を更に有し、前記透過部の平面面積が各色毎に異なるように前記反射層を形成することを特徴とする。
【００２８】
このように、半透過反射機能を有する反射層を、着色層が形成される基板と同一の基板上に形成することができる。また、このような構成の製造方法により製造された電気光学装置によれば、透過部の平面面積が各色毎に異なるように製造されているので、透過表示において電気光学装置に備えられる光源からの光量を各色毎に調整でき、透過表示における色バランスを変化させることが可能となる。従って、反射表示と透過表示とで最適な色バランスが異なる場合に、反射表示と透過表示の色バランスをそれぞれ変化させて、両表示において最適な色バランスとなるように任意に設定することができ、所望の色表示特性の電気光学装置を得ることができる。
【００２９】
本発明の電子機器は、上述に記載の電気光学装置を備えることを特徴とする。電子機器としては、携帯電話、携帯型情報端末、電子腕時計などが挙げられる。
【発明の効果】
【００３０】
以上のように、本発明によれば、反射部における透明層の形成平面面積を着色層毎に異ならせることにより、反射表示における色バランスを任意に変化させることができ、反射表示において各色それぞれに最適な明るさが得られるように調整ができ、ホワイトバランスに優れた表示特性を有する電気光学装置を得ることができる。
【発明を実施するための最良の形態】
【００３１】
次に、添付図面を参照して本発明に係るカラーフィルタ基板、カラーフィルタ基板の製造方法、電気光学装置及び電子機器の実施例について説明する。本実施例では、電気光学装置として液晶装置を構成する場合を例にとり以下に説明する。
【００３２】
図１は、本発明に係る実施例１のカラーフィルタ基板（詳細な構造については後述する）が組み込まれた電気光学装置としての液晶装置の概略断面図である。
【００３３】
図１に示された液晶装置１００は、半透過反射方式の単純マトリクス型構造を有する。
液晶装置１００は、液晶パネル６０と、これに隣接して設けられたバックライト４０を有する。液晶パネル６０は、対向基板１０と、カラーフィルタ基板２０と、これら２枚の基板を貼りあわすシール材５３と、２枚の基板１０及び２０間に挟持された液晶層５５と、２枚の基板１０及び２０を挟み込むように設けられた一対の偏光板５１及び５２を有する。
【００３４】
バックライト４０は、光源４３と、導光板４４と、拡散板４１と、反射板４２とを有する。導光板４４は、光源４３から発せられた光を液晶パネル６０の全面に導くものであり、拡散板４１は導光板４４に導かれた光を液晶パネル６０に対して一様に拡散させるものである。反射板４２は、導光板４４から液晶パネル６０とは反対側に出射される光を液晶パネル６０側へ反射させるものである。ここで光源４３は、常に点灯しているのではなく、外光がほとんどないような環境において使用される場合に、ユーザからの指示やセンサからの検出信号に応じて点灯し、これにより透過表示が行われるようになっている。
【００３５】
図１に示すように、対向基板１０は、ガラス基板１と、該ガラス基板１上に配置されたストライプ状のＩＴＯなどの透明電極からなる第１電極２と、これを覆う配向膜４とを有する。配向膜４は、ポリイミドなどの有機薄膜であり、ラビング処理が施されている。
【００３６】
一方、カラーフィルタ基板２０は、ガラス基板２１上に、反射層２２、格子状の遮光層２４、透明層としてのバンク層２３、着色層２５、オーバーコート層２６、ＩＴＯなどの透明電極からなる第２電極２７及び配向膜２８が順に積層されて構成される。反射層２２はＡｌ膜などの反射膜から構成され、反射層２２は開口により形成された透過部２２ａと反射部ｂとを有する。カラーフィルタ基板２０の詳細な構造については後述する。
【００３７】
本実施例における液晶装置１００では、第１電極２と第２電極２７とその交差部に対応する液晶層５５によりドット部が構成され、各ドット部の液晶層５５を光学変化させることにより表示が行われる。液晶装置１００では、外光の光量が十分であるときは反射表示が行われ、外光の光量が不十分であるときは光源からの光を用いる透過表示が行われる。
本実施例においては、液晶装置１００を、基板に対し垂直な方向で見たときに、第１電極２と第２電極２７とが平面的に重なりあう交差部分の周端部が遮光層２４上に位置する形状となっている。各ドット部１００Ｄは、遮光層２４により区画された領域であり、本実施例においては実際に表示に寄与する領域がドット部に相当する。各ドット部１００Ｄは、透過領域３０ａと反射領域３０ｂとを有し、反射領域３０ｂは着色層が配置される着色層領域３０ｃと透明なバンク層が配置されるバンク層領域３０ｄとを有する。透過領域３０ａは反射層２２の透過部２２ａに対応し、反射領域３０ｂは反射層２２の反射部２２ｂに対応する。
【００３８】
図１に示すように、液晶装置１００では、反射表示が行われる場合、液晶装置１００に向かって入ってきた自然光や室内照明などの外光１５５または２５５は、対向基板１０、液晶層５５、着色層２５またはバンク層２３を通って、反射層２２の反射部２２ｂにて反射し、この反射光１５６または２５６が再び着色層２５またはバンク層２３、液晶層５５、対向基板１０を通って外部に出射される。反射光１５６は着色された反射光として液晶装置１００の外部に至る。一方、反射光２５６は無着色の明るい反射光として液晶装置１００の外部に至る。このようにドット部１００Ｄにおいて、反射層２２の反射部２２ｂの一部と平面的に重なるように透明なバンク層２３を設けることにより、無着色の明るい反射光２５６が出射され、この反射光２５６により反射領域全体としての反射光の明るさ不足を補うことができる。
【００３９】
一方、透過表示が行われる場合、バックライト４０から出射された光１５４が液晶パネル６０を通ることにより着色層２５により着色されて、液晶装置１００外部に出射される。
【００４０】
以下に、上述の液晶装置に組み込まれるカラーフィルタ基板について説明する。
【実施例１】
【００４１】
以下に、上述の液晶装置１００に組み込まれる実施例１におけるカラーフィルタ基板２０について図２及び図３を用いて詳細に説明する。
【００４２】
図２は液晶装置１００の一部を構成するカラーフィルタ基板２０の部分概略平面図である。図３（ａ）は図２の部分概略平面図であり、１つの画素に対応した平面図である。図３（ｂ）は図３（ａ）の線Ａ−Ａ´で切断した断面図であり、配向膜の図示を省略している。
【００４３】
図２に示すように、カラーフィルタ基板２０は複数のドット部１００Ｄを含む。各ドット部１００Ｄは、液晶装置１００に組み込んだ状態で第２電極２８とそれに対向する対向基板１０上の第１電極２とが平面的に重なる位置に対応して形成されている。各ドット部１００Ｄは、Ｒ（赤），Ｇ（緑），Ｂ（青）のいずれかに対応しており、図２の例では、同一色のドット部１００Ｄが縦方向に配列されている。図中、横方向に繰り返し配列されたＲ，Ｇ，Ｂの３つのドット部１００Ｄにより１つの画素が構成される。
【００４４】
図２及び図３に示すように、反射層２２は反射部２２ｂと透過部２２ａを有し、透過部２２ａの領域はＡｌ膜などの反射膜が形成されていない開口部であり、この透過部２２ａとなる開口部は１ドット部１００Ｄ毎に１つづつの割合で形成されている。遮光層２４は黒色樹脂などから構成され、各ドット部１００Ｄをほぼ区画するように格子状に形成されている。バンク層２３は遮光層２４を覆うように各ドット部１００Ｄを区画して形成されている。相互に隣接するバンク層２３によって囲まれる領域内には、後述するようにインクジェット方式によりＲ，Ｇ，Ｂいずれかの着色層２５が形成される。バンク層２３は、透明で溌インク性を有するアクリル感光性樹脂などにより形成され、インクジェット方式（液滴材料の吐出による成膜方式）により着色層２５を形成する際に隣接する着色層２５を構成するインク（液滴材料）が混ざり合うのを防止する役割を有する。
【００４５】
オーバーコート層（保護膜）２６はアクリル樹脂などの透明樹脂により構成されている。本実施例の液晶装置１００はマルチギャップ構造を採用しているため、反射層２２の透過部２２ａに対応する領域においては、着色層２５上にオーバーコート層２６は形成されない。これにより、透過表示領域と反射表示領域とで液晶層の膜厚を調整して、表示の明るさ及び色調の向上を図っている。
【００４６】
上述したように、本実施例のカラーフィルタ基板２０においては液晶装置１００に組み込んだときに実際に表示に寄与する領域がドット部１００Ｄに相当する。図２及び図３（ａ）において、右上がり斜線で埋められた領域は遮光層２４の形成領域であり、バンク層２３は右上がり斜線で埋められた領域と白抜きの領域とに形成されている。バンク層２３は、遮光層２４の幅よりも広い幅で遮光層２４を覆うように形成されている。バンク層２３が形成された領域には着色層２５は形成されていない。これにより、図２及び図３に示すように、各ドット部１００Ｄは、額縁状のバンク層２３からなる透明層領域としてのバンク層領域３１ａと、このバンク層領域３１ａ内に着色層２５が配置された着色層領域３１ｂを有する。着色層領域３１ｂの透過部２２ａに対応する領域は、透過表示時に用いられる透過領域３０ａであり、着色層領域３１ａのそのほかの部分とバンク層領域３１ａは、反射表示時に用いられる反射領域３０ｂに対応する。すなわち、透過領域３０ａには着色層２５のみが配置され、反射領域３０ｂには着色層２５とバンク層２３とが配置される。
【００４７】
本実施例においては、各色に対応する各ドット部１００Ｄの平面形成面積及び透過領域３０ａ（すなわち反射層２２の透過部２２ａ）の平面形成面積はそれぞれ同じであり、バンク層領域３１ａの平面形成面積が着色層２５の各色毎に異なっている。言い換えると、遮光層２４で区画されたドット部１００Ｄにおけるバンク層２３の平面的な形成面積が色毎に異なっている。具体的には、各ドット部１００Ｄにおいて、バンク層２３の形成面積比が赤色：緑色：青色＝１．１〜１．３：１．３〜２．５：１となっている。
【００４８】
本実施例におけるカラーフィルタ基板では、着色層２５の色素濃度は、透過領域を通過する透過光１５４（図１参照）が最適な彩度を示すように設定される。従って、反射光１５６は、透過光に対して最適に設定された着色層２５を２回通過する分、明るさが不足する傾向がある。しかし、反射領域のうちバンク層２３が形成された領域内の遮光層２４以外の領域では、外光２５５は着色層２５を通ることなく反射層２２で反射され、無着色の明るい反射光２５６として出射するので、この反射光２５６により反射領域全体としての反射光の明るさ不足を補うことができる。
【００４９】
バンク層領域３１ａの平面面積は、反射領域全体でどの程度の明るさを必要とするかを考慮して決定され、これは各色毎に最適な値が異なる。本実施例においては、反射部２２ｂに対応するバンク層領域３１ａの平面形成面積を上述のように設定することにより、各色それぞれに最適な明るさを得ることができ、ホワイトバランスの良い色度特性を有するカラーフィルタ基板を得ることができる。このようなカラーフィルタ基板を備えた半透過反射型液晶装置は、色度特性の良い明るい反射表示特性を有する。
【００５０】
次に、上述の実施例１に示すカラーフィルタ基板の製造方法について図１０及び図１１を用いて説明する。
【００５１】
図１０及び図１１はカラーフィルタ基板の製造工程図である。
【００５２】
まず、ガラス基板２１基板上にスパッタリングにより金属材料、例えばＡｌ（アルミニウム）からなる膜を所望の厚みに形成する。その後、フォトリソグラフィ法を用いてＡｌ膜をパターニングし、観察方向からみて格子状パターンの反射層２２を形成する（工程Ｐ１）。反射層２２は、透過部となる開口２２ａを有する。
【００５３】
次に、遮光層２４を形成する（工程Ｐ２）。この遮光層２４は、画面表示のコントラストを良くするために設けられたもので、各ドット部に対応する部分が開口する格子状のパターンに形成されている。この遮光層２４は、Ｃｒ（クロム）などの金属膜で形成してもよく、また黒色または黒色に近い色の顔料を添加した樹脂で形成してもよい。
【００５４】
次に、バンク層２３を形成する。具体的には、望ましくは撥インク性の樹脂を、例えばスピンコート法を用いて所定の厚さに塗布し、これを、適宜のパターニング手法、たとえばフォトリソグラフィ法を用いて所定の格子状にパターニングする（工程Ｐ３）。このとき、バンク層２３の幅は、反射層２２の幅よりも小さくなるようにする。
【００５５】
その後、バンク層２３によって区画された各領域内にインクジェット法を用いて赤色着色層２５Ｒを形成する（工程Ｐ４）。具体的には、インクジェットヘッド７１Ｒによって基板２１の表面を走査しながら、インクジェットヘッド７１Ｒに設けたノズル７２Ｒから液滴材料としての赤色着色層材料７３Ｒを配列パターンに対応した所定の位置にインク滴として吐出して基板２１及び反射層２２上に付着させる。そして、焼成処理、紫外線照射処理、または真空乾燥処理により赤色着色層材料を固化して赤色着色層２５Ｒを形成する。
【００５６】
次に、バンク層２３によって区画された各領域内にインクジェット法を用いて緑色着色層２５Ｇを形成する（工程Ｐ５）。具体的には、インクジェットヘッド７１Ｇによって基板２１の表面を走査しながら、インクジェットヘッド７１Ｇに設けたノズル７２Ｇら液滴材料としての緑色着色層材料７３Ｇを配列パターンに対応した所定の位置にインク滴として吐出して基板２１及び反射層２２上に付着させる。そして、焼成処理、紫外線照射処理、または真空乾燥処理により緑色着色層材料を固化して緑色着色層２５Ｇを形成する。
【００５７】
その後、バンク層２３によって区画された各領域内にインクジェット法を用いてＲの着色層２５Ｂを形成する（工程Ｐ６）。具体的には、インクジェットヘッド７１Ｂによって基板２１の表面を走査しながら、インクジェットヘッド７１Ｂに設けたノズル７２Ｂから液滴材料としての青色着色層材料７３Ｂを配列パターンに対応した所定の位置にインク滴として吐出して基板２１及び反射層２２上に付着させる。そして、焼成処理、紫外線照射処理、または真空乾燥処理により青色着色層材料７３Ｂを固化して青色着色層２５Ｂを形成する。
【００５８】
その後、バンク層２３によって区画された各領域内であって着色層２５の上にインクジェット法を用いてオーバーコート層２６を形成する（工程Ｐ７）。具体的には、着色層形成工程と同様に、インクジェットヘッド７４に設けたノズル７５から、オーバーコート材料７６を所定の位置に吐出して基板２１上の各着色層２５の上に付着させる。そして、その後、例えば２００℃、３０〜６０分の焼成処理によりオーバーコート材料７６を固化してオーバーコート層２６を形成する。
【００５９】
このオーバーコート層２６は、フォトリソグラフィ工程でパターニングを行い、反射層２２の設けられた反射領域における液晶層厚と透過領域における液晶層厚よりも小さく形成して、いわゆるマルチギャップタイプの液晶装置とすることができる。
【００６０】
その後、オーバーコート層２６の上にＩＴＯなどからなる透明導電膜をスパッタリング法により成膜し、フォトリソグラフィ法によってパターニングすることにより、第２透明電極２７を形成する。その後、第２透明電極２７上にポリイミド樹脂などからなる配向膜２８を形成し、ラビング処理などを施す。これによりカラーフィルタ基板２０が製造される。
【００６１】
次に、上述のように得られたカラーフィルタ基板を用いて、図１に示す液晶装置を製造する方法について説明する。
【００６２】
まず、上記方法により、上記いずれかの実施例によるカラーフィルタ基板２０を用意する。一方、液晶装置１００とした時にカラーフィルタ基板と対向配置される基板１上にも、上述の第２透明電極２７及び配向膜２８の形成と同様の方法で、第１透明電極２及び配向膜４を形成し、対向基板１０を製造する。
【００６３】
そして、開口部を有するシール材５３を介して、カラーフィルタ基板２０と対向基板１０とを貼り合せて、パネル構造を構成する。カラーフィルタ基板２０と対向基板１０とは、基板間に分散配置された図示しないスペーサなどによって、ほぼ規定の基板間隙となるように貼り合せられる。
【００６４】
その後、シール材５３の開口部から液晶を注入し、シール材の開口部を紫外線硬化性樹脂などの封止材によって封止する。これにより液晶パネル６０が製造される。その後、偏光板５１及び５２を液晶パネル６０の外面上に貼り付け、バックライト４０を配置して図１に示す液晶装置１００が完成する。
【実施例２】
【００６５】
実施例１におけるカラーフィルタ基板２０では遮光層を設けたが、以下に説明する実施例２のように遮光層がない構造としても良い。以下、図４及び図５を用いて説明するが、実施例１と同様の構成については説明を省略する。
【００６６】
図４は実施例２におけるカーフィルタ基板の部分概略平面図である。図５（ａ）は図４の部分概略平面図であり、１つの画素に対応した平面図である。図５（ｂ）は図５（ａ）の線Ｂ−Ｂ´で切断した断面図である。
【００６７】
図４に示すように、カラーフィルタ基板２２０は複数のドット部２００Ｄを含む。本実施例のカラーフィルタ基板２２０においては液晶装置に組み込んだときに実際に表示に寄与する領域がドット部２００Ｄに相当する。すなわち、ドット部２００Ｄは、液晶装置に組み込んだ状態で、第１電極２と第２電極２７とが平面的に重なる位置に対応する。各ドット部２００Ｄは、Ｒ（赤），Ｇ（緑），Ｂ（青）のいずれかに対応しており、図４の例では、同一色のドット部１００Ｄが縦方向に配列されている。図中、横方向に繰り返し配列されたＲ，Ｇ，Ｂの３つのドット部２００Ｄにより１つの画素が構成される。
【００６８】
図４及び図５に示すように、カラーフィルタ基板２２０は、ガラス基板２２１上に、反射層２２２、透明層としてのバンク層２２３、着色層２２５、オーバーコート層２２６、ＩＴＯなどの透明電極からなる第２電極２７及び配向膜（図示せず）が順に積層されて構成される。反射層２２２はＡｌ膜などの反射膜から構成される。
【００６９】
実施例１と同様に反射層２２２は反射部２２２ｂと透過部２２２ａを有し、透過部２２２ａの領域はＡｌ膜などの反射膜が形成されていない開口部であり、この透過部２２２ａとなる開口部は１ドット部２００Ｄ毎に１つづつの割合で形成されている。バンク層２２３は各ドット部２００Ｄをほぼ区画して形成されている。相互に隣接するバンク層２２３によって囲まれる領域内には、後述するインクジェット方式によりＲ，Ｇ，Ｂいずれかの着色層２２５が形成される。
【００７０】
各ドット部２００Ｄは、額縁状のバンク層２２３からなる透明層領域としてのバンク層領域２３１ａと、このバンク層領域２３１ａ内に着色層２５が配置された着色層領域２３１ｂを有する。また、各ドット部２００Ｄは、透過表示に用いられる透過領域２３０ａと、反射表示に用いられる反射領域２３０ｂとを有し、反射領域２３０ｂは着色層が配置される着色層領域２３０ｃと透明なバンク層が配置されるバンク層領域２３０ｄとを有する。各ドット部２００Ｄにおいて、透過領域２３０ａには着色層２２５のみが配置され、反射領域２３０ｂには着色層２２５とバンク層２２３とが配置される。
【００７１】
本実施例においては、各色に対応する各ドット部２００Ｄの平面形成面積及び透過領域２３０ａ（すなわち反射層２２２の透過部２２２ａ）の平面形成面積はそれぞれ同じであり、各ドット部２００Ｄにおけるバンク層領域２３１ａの平面形成面積が各色毎に異なっている。具体的な数値は、実施例１と同様のため、ここでは記載を省略する。
【００７２】
本実施例のように、遮光層を設けない構造としてもよく、実施例１と同様にホワイトバランスの良い色度特性を有するカラーフィルタ基板を得ることができる。そして、このようなカラーフィルタ基板を備えた半透過反射型液晶装置は、明るい反射表示特性を有する。
【００７３】
実施例２に示すカラーフィルタ基板の製造には、上述した実施例１に示すカラーフィルタ基板の製造方法を適用できる。すなわち実施例２におけるカラーフィルタ基板の製造方法では、遮光層の形成工程を省略すればよい。また、実施例１に示す液晶装置の製造方法と同様の方法で、実施例２のカラーフィルタ基板を組み込んだ液晶装置を得ることができる。
【実施例３】
【００７４】
上述の実施例においては、ドット部におけるバンク層領域の平面形状が額縁形状であったが、以下に説明する実施例３におけるカラーフィルタ基板のように、ドット部におけるバンク層領域の平面形状を島状としても良い。以下、図６及び図７を用いて説明するが、実施例１と同様の構成については説明を省略する。
【００７５】
図６は実施例３におけるカーフィルタ基板の部分概略平面図である。図７（ａ）は図６の部分概略平面図であり、１つの画素に対応した平面図である。図７（ｂ）は図７（ａ）の線Ｃ−Ｃ´で切断した断面図、図７（ｃ）は図７（ａ）の線Ｄ−Ｄ´で切断した断面図である。
【００７６】
図６に示すように、カラーフィルタ基板３２０は複数のドット部３００Ｄを含む。本実施例においては、本実施例のカラーフィルタ基板３２０を組み込んだ液晶装置を、基板に対し垂直な方向で見たときに、第１電極２と第２電極２７とが平面的に重なりあう交差部分の端部が遮光層３２４上に位置する形状となっている。従って、各ドット部３００Ｄにおいて、実際に表示に寄与する領域は遮光層３２４により区画された領域であり、本実施例においては実際に表示に寄与する領域がドット部３００Ｄに相当する。
【００７７】
各ドット部３００Ｄは、透過領域３３０ａと反射領域３３０ｂとを有し、反射領域３３０ｂは着色層が配置される着色層領域３３０ｃと透明なバンク層が配置される透明層領域としてのバンク層領域３３０ｄとを有する。透過領域３３０ａは反射層３２２の透過部３２２ａに対応し、反射領域３３０ｂは反射層３２２の反射部３２２ｂに対応する。各ドット部３００Ｄは、Ｒ（赤），Ｇ（緑），Ｂ（青）のいずれかに対応しており、図６の例では、同一色のドット部３００Ｄが縦方向に配列されている。図中、横方向に繰り返し配列されたＲ，Ｇ，Ｂの３つのドット部３００Ｄにより１つの画素が構成される。
【００７８】
図６及び図７に示すように、カラーフィルタ基板３２０は、ガラス基板３２１上に、反射層３２２、遮光層３２４、透明層としてのバンク層３２３、着色層３２５、オーバーコート層３２６、ＩＴＯなどの透明電極からなる第２電極２７及び配向膜（図示せず）が順に積層されて構成される。反射層３２２はＡｌ膜などの反射膜から構成される。遮光層３２４はドット部を区画するように格子状に形成されている。
【００７９】
反射層３２２は反射部３２２ｂと透過部３２２ａを有し、透過部３２２ａの領域はＡｌ膜などの反射膜が形成されていない開口部であり、この透過部３２２ａとなる開口部は１ドット部３００Ｄ毎に１つづつの割合で形成されている。バンク層３２３は平面的に遮光層３２４と完全に重なり合うように遮光層３２４上に格子状に形成され、更に各ドット部３００Ｄの反射領域３３０ｂの一部（バンク層領域３３０ｄ）に対応して形成されている。言い換えると、バンク層３２３は、ドット部を区画するように格子状に形成され、更に各ドット部毎に島状に形成される。遮光層３２４上に配置されるバンク層３２３によって囲まれる領域内には、後述するインクジェット方式によりＲ，Ｇ，Ｂいずれかの着色層３２５が形成される。着色層領域３３１ｂの透過部３２２ａに対応する領域は、透過表示時に用いられる透過領域２３０ａであり、着色層領域３３１ｂのそのほかの部分とバンク層領域３３１ａは、反射表示時に用いられる反射領域３３０ｂに対応する。すなわち、透過領域３３０ａには着色層２２５のみが配置され、反射領域３３０ｂには着色層３２５とバンク層３２３とが配置される。本実施例においては、各色に対応する各ドット部３００Ｄの平面形成面積及び透過領域３３０ａ（すなわち反射層３２２の透過部３２２ａ）の平面形成面積はそれぞれ同じであり、各ドット部３００Ｄにおけるバンク層領域３３１ａの平面形成面積が各色毎に異なっている。具体的な数値は、実施例１と同様のため、ここでは記載を省略する。
【００８０】
本実施例のように、ドット部におけるバンク層領域の平面形状を島状としてもよく、実施例１と同様にホワイトバランスの良い色度特性を有するカラーフィルタ基板を得ることができる。そして、このようなカラーフィルタ基板を備えた半透過反射型液晶装置は、明るい反射表示特性を有する。
【００８１】
尚、バンク層領域の平面形状は上述の実施例に限定されることなく、任意にその形状を変化させることができる。
実施例３に示すカラーフィルタ基板の製造では、実施例１に示すカラーフィルタ基板の製造方法を適用できる。すなわち実施例３におけるカラーフィルタ基板の製造方法では、バンク層のパターン形状を変えればよい。また、実施例１に示す液晶装置の製造方法と同様の方法で、実施例３のカラーフィルタ基板を組み込んだ液晶装置を得ることができる。
【実施例４】
【００８２】
上述の実施例においては、透過部の平面面積が各色で同じであったが、以下に説明する実施例４におけるカラーフィルタ基板のように、着色層の各色毎に反射層の透過部の平面面積を異ならせても良い。以下、図８を用いて説明するが、実施例１と同様の構成については説明を省略する。
【００８３】
図８（ａ）は実施例４におけるカーフィルタ基板の部分概略平面図であり、１つの画素に対応した平面図である。図８（ｂ）は図８（ａ）の線Ｅ−Ｅ´で切断した断面図である。
【００８４】
図８に示すように、カラーフィルタ基板４２０は複数のドット部４００Ｄを含む。本実施例においては、本実施例のカラーフィルタ基板４２０を組み込んだ液晶装置を、基板に対し垂直な方向で見たときに、第１電極２と第２電極２７とが平面的に重なりあう交差部分の端部が遮光層２４上に位置する形状となっている。従って、各ドット部４００Ｄにおいて、実際に表示に寄与する領域は遮光層４２４により区画された領域であり、本実施例においては実際に表示に寄与する領域がドット部４００Ｄに相当する。各ドット部４００Ｄは、透過領域４３０ａと反射領域４３０ｂとを有し、反射領域４３０ｂは着色層が配置される着色層領域４３０ｃと透明なバンク層が配置される無着色領域としてのバンク層領域４３０ｄとを有する。透過領域４３０ａは反射層４２２の透過部４２２ａに対応し、反射領域４３０ｂは反射層４２２の反射部４２２ｂに対応する。各ドット部４００Ｄは、Ｒ（赤），Ｇ（緑），Ｂ（青）のいずれかに対応しており、Ｒ，Ｇ，Ｂの３つのドット部４００Ｄにより１つの画素が構成される。
【００８５】
カラーフィルタ基板４２０は、ガラス基板４２１上に、反射層４２２、遮光層４２４、透明層としてのバンク層４２３、着色層４２５、オーバーコート層４２６、ＩＴＯなどの透明電極からなる第２電極２７及び配向膜（図示せず）が順に積層されて構成される。反射層４２２はＡｌ膜などの反射膜から構成される。遮光層４２４はドット部４００Ｄを区画するように格子状に形成されている。
【００８６】
反射層４２２は反射部４２２ｂと透過部４２２ａを有し、透過部４２２ａの領域はＡｌ膜などの反射膜が形成されていない開口部であり、この透過部４２２ａとなる開口部は１ドット部４００Ｄ毎に１つづつの割合で形成されている。バンク層４２３は、遮光層４２４の幅よりも広い幅を有し、遮光層４２４を覆うように設けられ、このバンク層４２３によって囲まれる領域内には、後述するインクジェット方式によりＲ，Ｇ，Ｂいずれかの着色層４２５が形成される。着色層領域４３１ａの透過部４２２ａに対応する領域は、透過表示時に用いられる透過領域４３０ａであり、着色層領域４３１ａのそのほかの部分とバンク層領域４３１ａは、反射表示時に用いられる反射領域４３０ｂである。すなわち、透過領域４３０ａには着色層４２５のみが配置され、反射領域４３０ｂには着色層４２５とバンク層４２３とが配置される。
【００８７】
本実施例においては、各色に対応する各ドット部４００Ｄの平面形成面積はそれぞれ同じであり、反射層４２２の透過部４２２ａ（すなわち透過領域４３０ａ）の平面形成面積及び各ドット部４００Ｄにおけるバンク層領域４３１ａの平面形成面積が各色毎に異なっている。具体的には、ドット部における透過部４２２ａの形成面積比が、赤色：緑色：青色＝１〜１．２：１：１〜１．５であり、バンク層領域４３１ａの形成面積比が赤色：緑色：青色＝１．１〜１．３：１．３〜２．５：１となっている。
【００８８】
本実施例のように、反射部４２２ｂにおけるバンク層領域４３１ａと着色層領域４３１ｂとの平面面積比を各色毎に異ならせることにより、反射表示における色バランスを変化させることが可能となる。そして、反射部４２２ｂに対応するバンク層領域４３１ａと着色層領域４３１ｂとの平面面積比を上述のように設定することにより、反射表示において各色それぞれに最適な明るさを得ることができ、ホワイトバランスの良い色度特性を有するカラーフィルタ基板を得ることができる。そして、このようなカラーフィルタ基板を備えた半透過反射型液晶装置は、明るい反射表示特性を有する。
【００８９】
更に、本実施例においては、反射層の透過部４２２ａの平面面積を各色毎に異ならせることにより、透過表示におけるバックライト４０からの光量を各色毎に調整でき、透過表示における色バランスを変化させることが可能となる。そして、透過部４３０ａの平面面積を上述のように設定することにより、透過表示時において最適な色バランスを有するカラーフィルタ基板を得ることができる。そして、このようなカラーフィルタ基板を備えた半透過反射型液晶装置は、色バランスに優れた透過表示特性を有する。
【００９０】
以上のように、反射部４２２ｂに対応するバンク層領域４３１ａと着色層領域４３１ｂとの平面面積比を各色毎に異ならせ、透過部４３０ａの平面面積を各色毎に異ならせることによって、透過表示及び反射表示におけるそれぞれの色バランスを変化させることができる。従って、反射表示と透過表示とで最適な色バランスが異なる場合に、反射表示と透過表示の色バランスをそれぞれ変化させて、両表示において最適な色バランスとなるように設定することができる。
【００９１】
実施例４に示すカラーフィルタ基板の製造では、実施例１に示すカラーフィルタ基板の製造方法を適用できる。すなわち実施例４においては、反射層のパターン形状及びバンク層のパターン形状を変えれば良い。また、実施例１に示す液晶装置の製造方法と同様の方法で、実施例４のカラーフィルタ基板を組み込んだ液晶装置を得ることができる。
【実施例５】
【００９２】
実施例４においては、無着色領域にはバンク層が配置され、着色層はインクジェット法により形成されていたが、本実施例のようにバンク層を設けず、例えばフォトリソグラフィ法にて着色層を形成しても良い。尚、本実施例も実施例４と同様に、透過部の平面面積及び無着色領域の平面面積がそれぞれ色毎に異なっており、実施例４と同様の構成については説明を省略する。以下、図９を用いて説明する。
【００９３】
図９（ａ）は実施例５におけるカラーフィルタ基板の部分概略平面図であり、１つの画素に対応した平面図である。図９（ｂ）は図９（ａ）の線Ｆ−Ｆ´で切断した断面図である。
【００９４】
図９に示すように、カラーフィルタ基板５２０は複数のドット部５００Ｄを含む。本実施例においては、本実施例のカラーフィルタ基板５２０を組み込んだ液晶装置を、基板に対し垂直な方向で見たときに、第１電極２と第２電極２７とが平面的に重なりあう交差部分の端部が遮光層５２４上に位置する形状となっている。従って、各ドット部５００Ｄにおいて、実際に表示に寄与する領域は遮光層５２４により区画された領域であり、本実施例においては実際に表示に寄与する領域がドット部５００Ｄに相当する。
【００９５】
各ドット部５００Ｄは、透過領域５３０ａと反射領域５３０ｂとを有し、反射領域５３０ｂは着色層が配置される着色層領域５３０ｃと無着色領域５３０ｄとを有する。透過領域５３０ａは反射層５２２の透過部５２２ａに対応し、反射領域５３０ｂは反射層５２２の反射部４２２ｂに対応する。各ドット部５００Ｄは、Ｒ（赤），Ｇ（緑），Ｂ（青）のいずれかに対応しており、Ｒ，Ｇ，Ｂの３つのドット部５００Ｄにより１つの画素が構成される。
【００９６】
カラーフィルタ基板５２０は、ガラス基板５２１上に、反射層５２２、遮光層５２４、着色層５２５、オーバーコート層５２６、ＩＴＯなどの透明電極からなる第２電極２７及び配向膜（図示せず）が順に積層されて構成される。
【００９７】
反射層５２２はＡｌ膜などの反射膜から構成される。反射層５２２は反射部５２２ｂと透過部５２２ａを有し、透過部５２２ａの領域はＡｌ膜などの反射膜が形成されていない開口部であり、この透過部５２２ａとなる開口部は１ドット部５００Ｄ毎に１つづつの割合で形成されている。
【００９８】
遮光層５２４はドット部５００Ｄを区画するように格子状に形成されている。着色層５２５は、遮光層５２４とある一定の距離をおいて島状に配置されている。着色層５２５は、例えば既知のフォトリソグラフィ法により形成される。ドット部５００Ｄは、着色層５２５が設けられた着色層領域５３１ｂと着色層５２５が設けられていない無着色層領域５３１ａとを有している。そして、この無着色層領域５３１ａを埋めるようにオーバーコート層５２６が形成される。
【００９９】
着色層領域５３１ｂの透過部５２２ａに対応する領域は、透過表示時に用いられる透過領域５３０ａであり、着色層領域５３１ａのそのほかの部分と無着色層領域５３１ａは、反射表示時に用いられる反射領域５３０ｂに対応する。すなわち、透過領域５３０ａには着色層５２５のみが配置され、反射領域５３０ｂには着色層５２５とオーバーコート層５２６とが配置される。
【０１００】
本実施例においては、各色に対応する各ドット部５００Ｄの平面面積はそれぞれ同じであり、反射層５２２の透過部５２２ａ（すなわち透過領域５３０ａ）の平面形成面積及び各ドット部５００Ｄにおける無着色層領域５３１ａの平面形成面積が各色毎に異なっている。具体的な数値は、実施例４と同様のため、ここでは記載を省略する。
【０１０１】
このように、バンク層を設けない構造、すなわちインクジェット法を用いずに着色層形する場合にも適用できる。そして、実施例４と同様に、反射部５２２ｂにおける無着色層領域５３１ａの平面面積を各色毎に異ならせ、透過部５３０ａの平面形成面積を各色毎に異ならせることによって、透過表示及び反射表示においてそれぞれ色バランスを変化させることができる。従って、反射表示と透過表示とで最適な色バランスが異なる場合に、反射表示と透過表示の色バランスをそれぞれ変化させて、両表示において最適な色バランスとなうように設定することができる。
【０１０２】
次に、本発明によるカラーフィルタ基板を用いた液晶パネルを電子機器の表示装置として用いる場合の実施例について説明する。図１２は、本実施例の全体構成を示す概略構成図である。ここに示す電子機器は、上記の液晶パネル６０と、これを制御する制御手段５１０とを有する。ここでは、液晶パネル６０を、パネル構造体６０Ａと、半導体ＩＣなどで構成される駆動回路６０Ｂとに概念的に分けてかいてある。また、制御手段５１０は、表示情報出力源５１１と、表示情報処理回路５１２と、電源回路５１３と、タイミングジェネレータ５１４と、を有する。
【０１０３】
表示情報出力源５１１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像新郷を同調出力する同調回路とを備え、タイミングジェネレータ５１４によって生成された各種のクロック信号に基づいて、所定フォーマットの画像信号などの形で表示情報を表示情報処理回路５１２に供給するように構成されている。
【０１０４】
表示情報処理回路５１２は、シリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫとともに駆動回路６０Ｂへ供給する。駆動回路６０Ｂは、液晶パネル内の各配線を駆動する駆動回路及び検査回路を含む。また、電源回路５１３は、上述の各構成要素にそれぞれ所定の電圧を供給する。
【０１０５】
次に、本発明に係る液晶装置を、可搬型のパーソナルコンピュータ（いわゆるノート型パソコン）の表示部に適用した例について説明する。図１３（ａ）は、このパーソナルコンピュータの構成を示す斜視図である。同図に示すように、パーソナルコンピュータ６１０は、キーボード６１１を備えた本体部６１２と、本発明に係る液晶装置を適用した表示部６１３とを備えている。
【０１０６】
続いて、本発明に係る液晶装置を、携帯電話機の表示部に適用した例について説明する。図１３（ｂ）は、この携帯電話機の構成を示す斜視図である。同図に示すように、携帯電話機６２０は、複数の走査ボタン６２１の他、受話口６２２、送話口６２３とともに本発明に係る液晶装置を適用した表示部６２４を備える。
【０１０７】
尚、本発明に係る液晶装置を適用可能な他の電子機器としては、液晶テレビ、ビューファインダ型・モニタ直視型のビデオテープレコーダ、カーナビゲーション装置，ページャ、電子手帳、電卓、ワードプロセッサ、ワークステーション、テレビ電話、ＰＯＳ端末、ディジタルスチルカメラなどが挙げられる。
【０１０８】
また、本発明に係る電気光学装置は、単純マトリクス型の液晶装置だけではなく、アクティブマトリクス型の液晶装置（例えば、ＴＦＴやＴＦＤをスイッチング素子として備えた液晶装置パネル）にも同様に適用することが可能である。例えば、ＴＦＴを用いた半透過反射型液晶装置では、反射層及びＴＦＴなどが形成された半透過反射基板と、着色層が形成されたカラーフィルタ電極基板とが貼りあわされ、半透過反射基板側にバックライトが配置される。このように、反射層と着色層とが別々の基板に形成されている場合においても本発明を適用することができ、カラーフィルタ電極基板上のバンク層形成領域または無着色領域の平面面積を各色毎に異ならせることにより色特性の良い電気光学装置を得ることができる。
【図面の簡単な説明】
【０１０９】
【図１】本発明の一実施形態の液晶装置の概略断面図である。
【図２】実施例１のカラーフィルタ基板の部分概略平面図である。
【図３】同実施例における１画素に対応する平面図及びこの断面図である。
【図４】実施例２のカラーフィルタ基板の部分概略平面図である。
【図５】同実施例における１画素に対応する平面図及びこの断面図である。
【図６】実施例３のカラーフィルタ基板の部分概略平面図である。
【図７】同実施例における１画素に対応する平面図及びこの断面図である。
【図８】実施例４における１画素に対応する平面図及びこの断面図である。
【図９】実施例５における１画素に対応する平面図及びこの断面図である。
【図１０】実施例１のカラーフィルタ基板の製造工程図（その１）である。
【図１１】実施例１のカラーフィルタ基板の製造工程図（その２）である。
【図１２】本発明の電子機器の構成を示す構成ブロック図である。
【図１３】パーソナルコンピュータ及び携帯電話機の外観を示す斜視図である。
【符号の説明】
【０１１０】
２０、２２０、３２０、４２０、５２０・・・カラーフィルタ基板、２２、２２２、３２２、４２２、５２２・・・反射層、２２ａ、２２２ａ、３２２ａ、４２２ａ、５２２ａ・・・透過部、２２ｂ、２２２ｂ、３２２ｂ、４２２ｂ、５２２ｂ・・・反射部、２５Ｒ、２２５Ｒ、３２５Ｒ、４２５Ｒ、５２５Ｒ・・・赤色着色層、２５Ｇ、２２５Ｇ、３２５Ｇ、４２５Ｇ、５２５Ｇ・・・緑色着色層、２５Ｂ、２２５Ｂ、３２５Ｂ、４２５Ｂ、５２５Ｂ・・・青色着色層、３１ａ、２３１ａ、３３１ａ、４３１ａ・・・バンク層領域、３１ｂ、２３１ｂ、３３１ｂ、４３１ｂ・・・着色層領域、７３・・・液滴材料、１００・・・液晶装置、１００Ｄ、２００Ｄ、３００Ｄ、４００Ｄ、５００Ｄ・・・ドット部、５３１ａ・・・無着色領域、６１０・・・パーソナルコンピュータ、６２０・・・携帯電話機。
【図１】
2005107513.tif 000003
【図２】
2005107513.tif 000004
【図３】
2005107513.tif 000005
【図４】
2005107513.tif 000006
【図５】
2005107513.tif 000007
【図６】
2005107513.tif 000008
【図７】
2005107513.tif 000009
【図８】
2005107513.tif 000010
【図９】
2005107513.tif 000011
【図１０】
2005107513.tif 000012
【図１１】
2005107513.tif 000013
【図１２】
2005107513.tif 000014
【図１３】
2005107513.tif 000015